(57)【要約】【課題】ダイポール・ダイポール法による電気探査を行う際の作業効率を向上させるとともに精度を向上させる。【解決手段】測線上において等間隔に設置される複数の電極１２と、複数の電極１２のうちダイポール・ダイポール配置とする一対の電流電極および一対の電位電極を選択的に切り替えが可能な電極切替回路１４と、一対の電流電極に供給する電気の周波数を変換する周波数変換器１６と、測定対象域における見掛比抵抗値を測定する測定器１８とを有する電気探査装置１０において、電極の切り替え操作によって測線上における一対の電流電極および一対の電位電極の位置を変更することにより、測定対象域の位置を水平方向および鉛直方向において変更させながら見掛比抵抗値を測定する工程と、一対の電流電極に供給する電気の周波数を変換することにより、複数の周波数に対応する見掛比抵抗値を測定する工程を含む電気探査方法を提供する。【選択図】図１
2015127701.tif 000002
【特許請求の範囲】
【請求項１】
測線上において等間隔に設置される複数の電極と、
前記複数の電極のうちダイポール・ダイポール配置とする一対の電流電極および一対の電位電極を選択的に切り替える電極切替回路と、
前記一対の電流電極に供給する電気の周波数を変換する周波数変換器と、
前記一対の電流電極および前記一対の電位電極の測定対象域における見掛比抵抗値を測定する測定器と、
を有する電気探査装置において、
電極の切り替え操作によって測線上における前記一対の電流電極および前記一対の電位電極の位置を変更することにより、測定対象域を水平方向および鉛直方向において変更させながら見掛比抵抗値を測定する工程と、
前記一対の電流電極に供給する電気の周波数を変換することにより、複数の周波数に対応する前記見掛比抵抗値を測定する工程とを含む、
電気探査方法。
【請求項２】
前記一対の電流電極の電極間隔および前記一対の電位電極の電極間隔を第一の間隔に維持するとともに前記一対の電流電極と前記一対の電位電極との距離を第一の距離に維持した状態となるように電極を切り替えながら見掛比抵抗値を測定する第一の工程と、
前記第一の間隔を維持するとともに前記第一の距離をより大きい第二の距離に維持した状態となるように電極を切り替えながら見掛比抵抗値を測定する第二の工程と、
前記第一の間隔をより大きい第二の間隔に維持するとともに前記一対の電流電極と前記一対の電位電極との距離を第三の距離に維持した状態となるように電極を切り替えながら見掛比抵抗値を測定する第三の工程と、
前記第二の間隔を維持するとともに前記第三の距離をより大きい第四の距離に維持した状態となるように電極を切り替えながら見掛比抵抗値を測定する第四の工程とを含む、
請求項１に記載の電気探査方法。
【請求項３】
前記第一の間隔および前記第一の距離は前記測線上において隣り合う電極同士の間隔であり、
前記第二の距離は前記測線上において２本の電極を間に挟んで隣り合う電極同士の間隔であり、
前記第二の間隔は前記測線上において１本の電極を間に挟んで隣り合う電極同士の間隔であり、
前記第三の距離は前記測線上において３本の電極を間に挟んで隣り合う電極同士の間隔であり、
前記第四の距離は前記測線上において５本の電極を間に挟んで隣り合う電極同士の間隔である、
請求項２に記載の電気探査方法。
【請求項４】
測線上において等間隔に設置される複数の電極と、
前記複数の電極のうちダイポール・ダイポール配置とする一対の電流電極および一対の電位電極を選択的に切り替える電極切替回路と、
前記一対の電流電極に供給する電気の周波数を変換する周波数変換器と、
前記一対の電流電極および前記一対の電位電極の測定対象域における見掛比抵抗値を測定する測定器と、
を有する電気探査装置において、
前記電極切替回路が、前記請求項１乃至３の何れかに記載の方法を実行するように前記一対の電流電極および前記一対の電位電極を選択的に切り替える、
電気探査装置。
【発明の詳細な説明】
【技術分野】
【０００１】
本発明は、電気探査比抵抗法に周波数効果を適用して地盤構造の推定するための電気探査方法に関する。
【背景技術】
【０００２】
電気探査の手法は、岩石や鉱物の種類によって比抵抗、透磁率、誘電率および電気化学的分極などに関する電気的性質が異なることに基づく。そのため、人工的または自然的要因によって発生した電界の諸量を測定することによって地下の構造や状態の推定、あるいは存在する鉱物の種類などを検出することができる。他の物理探査法が単一の力（重力、磁気、弾性波など）の場を利用するのに対して、電気探査法は電界の形式やその観測方法が極めて多岐にわたっているのが特徴である。上記の電気的性質の中でも最も重要な位置を占めるのは比抵抗であり、これを利用して地質の分布と構造の推定が広く行われている。比抵抗（ｒｅｓｉｓｔｉｖｉｔｙ）は物質中の電流の流れにくさを示す物性値であり、単位体積当たり抵抗率を表し、単位はΩ・ｍである。比抵抗値は、岩石や土壌の間隙率、含水率、変質状態、間隙水のイオン濃度や温度により変動する。従って、地下の比抵抗分布から地下構造を推定することができる。
【０００３】
大地に流した電流によって生じる電場を観測する手法が代表的な電気探査法であり、これにより大地の比抵抗が求められる。この手法は電極系の移動の仕方によって２種類に分類できる。一つは、電極系を構成する電極を一定の位置関係に維持した状態で測線に沿って移動させながら測定を行うものであり、比抵抗水平探査と呼ばれる。もう一つは比抵抗垂直探査と呼ばれるものであり、全体の電極系の中心の位置を任意の点に固定した状態で電極間隔を変えながら測定を行い、その点における深度方向の比抵抗変化を知ることを目的としている。
【０００４】
比抵抗を測定するために用いられる電極配置には、二極法、三極法、ウェンナー法、シュランベルジャー法、ダイポール・ダイポール法などがある。このうちダイポール・ダイポール法は、測線上に一対の電流電極ともう一対の電位電極を離して配置し、ダイポール相互の間隔はダイポール長（ａ）の整数倍（ｎａ）となるように電極系を移動させて垂直探査を行う。可探深度の目安は（ｎ＋１）ａ／２であり、分解能の高い解析結果が期待できる手法である。
【０００５】
特許文献１および２には、ダイポール・ダイポール法を用いて地中の物質を高い精度で検出する技術が開示されている。ここでは、ダイポール・ダイポール法による解析精度をさらに高める手法として、高低２種類の周波数に切り替えてそれぞれの比抵抗を測定することが開示されており、測定した２つの比抵抗値の比率に基づいて目的とする物質、特に地下水脈の正確な位置および規模を検出する手法が示されている。
【先行技術文献】
【特許文献】
【０００６】
【特許文献１】特開２０１１−１１２３５７号公報
【特許文献２】特開２０１２−１１７９１４号公報
【発明の概要】
【発明が解決しようとする課題】
【０００７】
ダイポール・ダイポール法を用いて二次元探査、すなわち水平探査および垂直探査を行おうとする場合、４つの電極を一組とし、全体を測線に沿って移動させることで水平探査を行い、４つの電極相互の位置や間隔を変えることで垂直探査を行う。従って、４つの電極を測線上のダイポール・ダイポール配置となる位置に素早く配置することが作業効率向上の観点からは重要になる。この場合、水平方向および鉛直方向において測定漏れの箇所が発生しないように４つの電極の位置を定めなければならない。
【０００８】
本発明は、これらの課題を解決すべくなされたものであり、その目的とするところは、ダイポール・ダイポール法による電気探査を行う際の作業効率を向上させるとともに精度を向上させることにある。
【課題を解決するための手段】
【０００９】
本発明は、第１の態様として、測線上において等間隔に設置される複数の電極と、前記複数の電極のうちダイポール・ダイポール配置とする一対の電流電極および一対の電位電極を選択的に切り替えが可能な電極切替回路と、前記一対の電流電極に供給する電気の周波数を変換する周波数変換器と、前記一対の電流電極および前記一対の電位電極の測定対象域における見掛比抵抗値を測定する測定器と、を有する電気探査装置において、電極の切り替え操作によって測線上における前記一対の電流電極および前記一対の電位電極の位置を変更することにより、測定対象域の位置を水平方向および鉛直方向において変更させながら見掛比抵抗値を測定する工程と、前記一対の電流電極に供給する電気の周波数を変換することにより、複数の周波数に対応する前記見掛比抵抗値を測定する工程とを含む電気探査方法を提供する。
【００１０】
第２の態様として、前記一対の電流電極の電極間隔および前記一対の電位電極の電極間隔を第一の間隔に維持するとともに前記一対の電流電極と前記一対の電位電極との距離を第一の距離に維持した状態となるように電極を切り替えながら見掛比抵抗値を測定する第一の工程と、前記第一の間隔を維持するとともに前記第一の距離をより大きい第二の距離に維持した状態となるように電極を切り替えながら見掛比抵抗値を測定する第二の工程と、前記第一の間隔をより大きい第二の間隔に維持するとともに前記一対の電流電極と前記一対の電位電極との距離を第三の距離に維持した状態となるように電極を切り替えながら見掛比抵抗値を測定する第三の工程と、前記第二の間隔を維持するとともに前記第三の距離をより大きい第四の距離に維持した状態となるように電極を切り替えながら見掛比抵抗値を測定する第四の工程とを含む電気探査方法を提供する。
【００１１】
第３の態様として、測線上において等間隔に設置される複数の電極と、前記複数の電極のうちダイポール・ダイポール配置とする一対の電流電極および一対の電位電極を選択的に切り替える電極切替回路と、前記一対の電流電極に供給する電気の周波数を変換する周波数変換器と、前記一対の電流電極および前記一対の電位電極の測定対象域における見掛比抵抗値を測定する測定器と、を有する電気探査装置において、前記電極切替回路が、前記請求項１乃至３の何れかに記載の方法を実行するように前記一対の電流電極および前記一対の電位電極を選択的に切り替える、電気探査装置を提供する。
【発明の効果】
【００１２】
本発明の効果としては、ダイポール・ダイポール配置とする一対の電流電極および一対の電位電極を複数の電極から選択し、電極切替回路の切替操作を行うだけで二次元探査を行うことができるため、電気探査にかかる工期の短縮と費用の削減が可能になる。また測定中は最初に設置した位置から電極を動かす必要がないことから、従来工法のように電極を移動させながら測定する方法と比較して測定精度が向上し、雨天時の移動作業による感電の恐れも払拭されて安全性も向上する。
【００１３】
また、ダイポール・ダイポール配置とする一対の電流電極および一対の電位電極を複数の電極から選択する手順を予め設定しておくことにより、シーケンス的に電極切替回路の切替操作を行うだけで二次元探査を行うことができるため、非熟練者であっても短期間に高精度の測定を行うことができる。
【図面の簡単な説明】
【００１４】
【図１】電気探査装置の構成を示す概略図
【図２】電極の配置と測定ポイントの位置関係を示す図
【図３】測定ポイントおよび測定順序を示す図
【図４】見掛比抵抗値の測定順序を示す図
【図５】見掛比抵抗値の分布断面図
【図６】見掛比抵抗値のインピーダンス効果断面図
【発明を実施するための形態】
【００１５】
本発明の実施の形態について説明する。図１に本発明の実施の形態である電気探査装置の構成を示す。電気探査装置１０は、複数の電極１２、電極切替回路１４、周波数変換器１６、抵抗値測
定器１８、演算記憶装置２０、電源２２によって構成される。
【００１６】
電気探査装置１０は、種々の地層が積層されて形成される地盤３０の地層状態を解析し、主として鉱脈の位置を特定する目的に用いられる。地盤３０は、内部に礫岩、砂岩、泥岩などの地層を含みつつ、しゅう曲、はい曲、断層などの地層構造を含んでいる。このような地盤内部に、所望の物質が蓄積している領域が存在する。この物質は、採掘利用可能であり、ボーリングによって採掘できるレベルを有する量として蓄積されている場合もあれば、砂や岩同士の隙間を埋める程度の量として存在しているだけの場合もある。
【００１７】
なお、図１に示される地盤３０のある領域には、鉱脈が存在する。鉱脈は、検出対象の物質の蓄積状態の一例であり、鉱脈は、鉱物のみの蓄積状態を示すのではなく、水（水脈）、化石燃料、ガス燃料、有用物質、空隙、液漏れ、水漏れなどの検出対象となる所望の物質の蓄積状態を幅広く含む。
【００１８】
電極１２は、地盤３０の表面に設定する測線上に等間隔で設置される。電極１２の設置本数および設置間隔は任意の設計事項であるが、ここでは標準的なモデルとして、３１本の電極が２ｍ間隔で設置されている。電極１２は電極切替回路１４と接続されている。電極切替回路１４は、電極１２のうち、見掛比抵抗値の測定に使用する４本の電極との間で電気回路を形成する。４本の電極は、電流を付与する対象となる一対の電流電極Ｃ１、Ｃ２と、電圧を測定する対象となる一対の電位電極Ｐ２、Ｐ１である。全電極１２から対象となる４本の電極の選択については、演算記憶装置２０において予めパターン化されたメニューが記憶されており、電極切替回路１４は電極の切り替えを自動的に行うか、もしくはオペレータの操作に基づいて行う。
【００１９】
周波数変換器１６は、一対の電流電極Ｃ１、Ｃ２に対して付与する電気の周波数を任意の値に変換する。ここでは予め高周波数と低周波数の２つのパターンが演算記憶装置２０に記憶されており、電極の切替が行われる都度、高低２通りの周波数の電気を付与する。ここでは４０Ｈｚ以下の周波数、例えば３６Ｈｚと３０Ｈｚを使用する。
【００２０】
抵抗値測定器１８は、一対の電流電極Ｃ１、Ｃ２における電流値と、一対の電位電極Ｐ２、Ｐ１における電圧値から測定ポイントにおける見掛比抵抗値を測定する。見掛比抵抗値の測定は、高周波数と低周波数の２つのパターンで行われ、測定結果は演算記憶装置２０に蓄積される。
【００２１】
図２に電極の配置と測定ポイントの位置の関係を示している。図中、Ｃ１、Ｃ２およびＰ１、Ｐ２は、ダイポール・ダイポール配置となる一対の電流電極および一対の電位電極であり、それぞれ間隔ａをおいて配置されてる。一対の電流電極と一対の電位電極とは距離ｎａをおいて配置されている。測定ポイントは、水平方向において一対の電流電極と一対の電位電極との中心であり、鉛直方向において測定深度Ｄの位置となる。測定深度Ｄは、Ｄ＝（ａ＋ｎａ）／２の式により求められる。
【００２２】
図３に電気探査装置の測定ポイントおよび測定順序を示している。測線上に設置される３１本の電極の鉛直下方に１８４箇所の測定ポイントが設定されている。これらの測定ポイントは地盤に近い方の側から最深部の側に向けて逆三角形状に展開している。３１本の電極からダイポール・ダイポール配置となる４本の電極を選択し、その選択の組み合わせを変えることで１８４箇所の測定ポイントにおける見掛比抵抗値を測定する。例えば、１番目の電極と２番目の電極を一対の電流電極として選択し、３番目と４番目の電極を一対の電位電極として選択して電気回路を形成することで、第１の測定ポイントにおける見掛比抵抗値を測定することができる。また３番目と７番目の電極を一対の電流電極として選択し、２７番目と３１番目の電極を一対の電位電極として選択して電気回路を形成することで、第１８４の測定ポイントにおける見掛比抵抗値を測定することができる。
【００２３】
図４に見掛比抵抗値の測定パターンを示している。ここでは４本の電極の組み合わせとして１２のパターンが用意されている。第１のパターンは、隣り合う２本の電極を一対の電流電極とし、これに隣接して隣り合う２本の電極を一対の電位電極として組み合わせるパターンである。第１のパターンでは、最初に１番目から４番目の電極を組み合わせて第１の測定ポイントにおける見掛比抵抗値を測定し、次に２番目から５番目の電極に切り替えて第２の測定ポイントにおける見掛比抵抗値を測定する。このように１本ずつ電極をずらしながら第１の測定ポイントから第２８の測定ポイントまで合計２８回の測定を行う。この第１のパターンによる測定は、一対の電流電極の電極間隔および一対の電位電極の電極間隔を第一の間隔に維持するとともに一対の電流電極と前記一対の電位電極との距離を第一の距離に維持した状態となるように電極を切り替えながら見掛比抵抗値を測定する第一の工程に相当する。
【００２４】
第２のパターンは、隣り合う２本の電極を一対の電流電極とし、これと２本の電極を間に挟んで隣り合う電極同士を一対の電位電極として組み合わせるパターンである。第２のパターンでは、最初に１番目と２番目、５番目と６番目の電極に切り替えて第２９の測定ポイントにおける見掛比抵抗値を測定し、次に２番目と３番目、６番目と７番目の電極に切り替えて第３０の測定ポイントにおける見掛比抵抗値を測定する。このように１本ずつ電極をずらしながら第２９の測定ポイントから第５４の測定ポイントまで合計２６回の測定を行う。この第２のパターンによる測定は、  第一の間隔を維持するとともに第一の距離をより大きい第二の距離に維持した状態となるように電極を切り替えながら見掛比抵抗値を測定する第二の工程に相当する。
【００２５】
第３のパターンは、１本の電極を間に挟んで隣り合う電極を一対の電流電極とし、これとの間に３本の電極を挟み、１本の電極を間に挟んで隣り合う電極を一対の電位電極として組み合わせるパターンである。第３のパターンでは、最初に１番目と３番目、７番目と９番目の電極に切り替えて第５５の測定ポイントにおける見掛比抵抗値を測定し、次に２番目と４番目、８番目と１０番目の電極に切り替えて第５６の測定ポイントにおける見掛比抵抗値を測定する。このように１本ずつ電極をずらしながら第５５の測定ポイントから第７７の測定ポイントまで合計２３回の測定を行う。この第３のパターンによる測定は、第一の間隔をより大きい第二の間隔に維持するとともに一対の電流電極と一対の電位電極との距離を第三の距離に維持した状態となるように電極を切り替えながら見掛比抵抗値を測定する第三の工程に相当する。
【００２６】
第４のパターンは、１本の電極を間に挟んで隣り合う電極を一対の電流電極とし、これとの間に５本の電極を挟み、１本の電極を間に挟んで隣り合う電極を一対の電位電極として組み合わせるパターンである。第４のパターンでは、最初に１番目と３番目、９番目と１１番目の電極に切り替えて第７８の測定ポイントにおける見掛比抵抗値を測定し、次に２番目と４番目、１０番目と１２番目の電極に切り替えて第７９の測定ポイントにおける見掛比抵抗値を測定する。このように１本ずつ電極をずらしながら第７８の測定ポイントから第９８の測定ポイントまで合計２１回の測定を行う。この第４のパターンによる測定は、第二の間隔を維持するとともに第三の距離をより大きい第四の距離に維持した状態となるように電極を切り替えながら見掛比抵抗値を測定する第四の工程に相当する。
【００２７】
第５のパターンから第１２のパターンまでの測定手順も第４のパターンまでの方法と同様である。一対の電流電極および一対の電位電極における電極間隔と、一対の電流電極と一対の電位電極との距離を図４に示す手順に従って変えながら第９９の測定ポイントから第１８４の測定ポイントまで合計８６回の測定を行う。
【００２８】
次に地表側（１列目）から最深部側（１２列目）に至る全１２列に設定された各測定ポイントを測定するための手順について説明する。説明文中のＣ１Ｃ２は一対の電流電極の間隔ａを示し、Ｐ２Ｐ１は一対の電位電極の間隔ａを示す。Ｃ２Ｐ２は一対の電流電極と一対の電位電極との距離ｎａを示す。ｄは測線上に等間隔で設置された電極の間隔である。
【００２９】
１列目：電極間隔Ｃ１Ｃ２＝Ｐ２Ｐ１＝ａ＝ｄ，電極距離Ｃ２Ｐ２＝ｎａ＝ｄ
最初（１点目）の測定ポイントの測定を終えたら４つの電極Ｃ１Ｃ２Ｐ２Ｐ１を等間隔ｄだけ終点側に切り替え、２点目の測定を行う。２点目の測定を終えたら更にｄだけ終点側に切り替え、３点目の測定を行う。その後、電極の切り替えと測定を繰り返しながら最終点まで順次測定を行う。これにより１列目の全測定ポイントの測定が完了する。
【００３０】
２列目：電極間隔Ｃ１Ｃ２＝Ｐ２Ｐ１＝ａ＝ｄ，電極距離Ｃ２Ｐ２＝ｎａ＝３ｄ
２列目の測定も１列目の場合と同様であり、４つの電極Ｃ１Ｃ２Ｐ２Ｐ１を上記の電極間隔および電極距離で切り替えながら、始点から終点に至る各測定ポイントについて順次測定を行う。
【００３１】
３列目以下の測定も１列目の場合と同様であり、４つの電極Ｃ１Ｃ２Ｐ２Ｐ１を上記の電極間隔および電極距離で切り替えながら、始点から終点に至る各測定ポイントについて順次測定を行う。
３列目：電極間隔Ｃ１Ｃ２＝Ｐ２Ｐ１＝ａ＝２ｄ，電極距離Ｃ２Ｐ２＝ｎａ＝２（２ｄ）
４列目：電極間隔Ｃ１Ｃ２＝Ｐ２Ｐ１＝ａ＝２ｄ，電極距離Ｃ２Ｐ２＝ｎａ＝３（２ｄ）
５列目：電極間隔Ｃ１Ｃ２＝Ｐ２Ｐ１＝ａ＝２ｄ，電極距離Ｃ２Ｐ２＝ｎａ＝４（２ｄ）
６列目：電極間隔Ｃ１Ｃ２＝Ｐ２Ｐ１＝ａ＝３ｄ，電極距離Ｃ２Ｐ２＝ｎａ＝３（３ｄ）
７列目：電極間隔Ｃ１Ｃ２＝Ｐ２Ｐ１＝ａ＝３ｄ，電極距離Ｃ２Ｐ２＝ｎａ＝１１／３（３ｄ）
８列目：電極間隔Ｃ１Ｃ２＝Ｐ２Ｐ１＝ａ＝３ｄ，電極距離Ｃ２Ｐ２＝ｎａ＝１３／３（３ｄ）
９列目：電極間隔Ｃ１Ｃ２＝Ｐ２Ｐ１＝ａ＝３ｄ，電極距離Ｃ２Ｐ２＝ｎａ＝１５／３（３ｄ）
１０列目：電極間隔Ｃ１Ｃ２＝Ｐ２Ｐ１＝ａ＝４ｄ，電極距離Ｃ２Ｐ２＝ｎａ＝１６／４（４ｄ）
１１列目：電極間隔Ｃ１Ｃ２＝Ｐ２Ｐ１＝ａ＝４ｄ，電極距離Ｃ２Ｐ２＝ｎａ＝１８／４（４ｄ）
１２列目：電極間隔Ｃ１Ｃ２＝Ｐ２Ｐ１＝ａ＝４ｄ，電極距離Ｃ２Ｐ２＝ｎａ＝２０／４（４ｄ）
【００３２】
以上は電極の総数が３１本の場合の測定手順であるが、測線が更に長い場合など電極数が増える場合には、１３列目以下の測定ポイントについては電極間隔ａと電極距離係数ｎを適宜決定することで測定が可能である。
【００３３】
各測定ポイントについて、一対の電流電極Ｃ１、Ｃ２に高低２通りの周波数の電気を付与し、見掛比抵抗値ρＨ  ，ρＬを測定する。見掛比抵抗値ρＨ  ，ρＬの測定は、測定ポイント毎に高低２回の測定を行ってもよいし、最初に高周波数で全測定ポイントを測定し、その後に低周波数で全測定ポイントを測定してもよい。
【００３４】
図５に電気探査装置により測定した見掛比抵抗値の分布断面図を示している。電気探査装置１０によって測定された１８４箇所の見掛比抵抗値は演算記憶装置２０にてデータ解析が行われる。解析結果は見掛比抵抗値の大小に応じて色分けされた分布図として可視的に表示することができる。
【００３５】
図６に電気探査装置により測定した見掛比抵抗値のインピーダンス効果断面図を示している。測定ポイントに水脈が存在する場合に、高い周波数で測定した見掛比抵抗値が低い周波数で測定した見掛比抵抗値より高い数値を示すという現象がインピーダンス効果である。両比抵抗値の比（ρＨ／ρＬ）が１以上を示す位置に地下水脈があり、その値が大きいほど規模が大きい水脈であることが実験的に分かっている。高低２つの周波数は理論的には様々な組み合わせが考えられるが、４０Ｈｚ以下の２周波数の組み合わせにおいて、例えば３６Ｈｚと３０Ｈｚ程度の高低差があれば、両比抵抗値の比（ρ３６／ρ３０）が１以上を示す位置に水脈が存在する可能性が非常に高いことが実験的に分かっている。
【符号の説明】
【００３６】
１０  電気探査装置
１２  電極
１４  電極切替回路
１６  周波数変換器
１８  見掛比抵抗値測定器
２０  演算記憶装置
２２  電源
Ｃ１，Ｃ２  一対の電流電極
Ｐ２，Ｐ１  一対の電位電極
ａ  一対の電流電極（電位電極）の間隔
ｎ  電極距離係数
ｎａ  一対の電流電極と一対の電位電極との距離
ｄ  電極設置間隔
Ｄ  測定深度
ρ  見掛比抵抗値
【図１】
2015127701.tif 000003
【図２】
2015127701.tif 000004
【図３】
2015127701.tif 000005
【図４】
2015127701.tif 000006
【図５】
2015127701.tif 000007
【図６】
2015127701.tif 000008